(57)【要約】  予め定義されたエアインタフェース構成と関連付けられるインデックスと共に変更命令を伝送することにより、エアインタフェース構成を動的に確立する場合にオーバヘッドを低減することが可能である。変更命令は、インデックスと関連付けられる予め定義されたエアインタフェース構成の１つ又は複数のパラメータへの変更を識別する。共に、インデックス及び変更指示は、ネットワークに関して予め定義された候補エアインタフェース構成のいずれかとは異なる変更されたエアインタフェース構成を指定する。変更命令は、ネットワークが、実質的により少ない予め定義されたエアインタフェース構成を使用しつつ、同様の程度の柔軟性を実現することを可能にし、同様に、選択されたエアインタフェース構成と関連付けられるインデックスが、より少数のビットを使用してシグナリングされることを可能にする。
2019500768.tif 000002
【特許請求の範囲】
【請求項１】
エアインタフェースを構成するための方法であって、
無線デバイスが、ネットワークデバイスからインデックス及び変更命令を受信する段階であって、前記インデックスは、複数の予め定義されたエアインタフェース構成のうちの第１のものと関連付けられ、前記変更命令は、変更されたエアインタフェース構成を生成するべく、前記第１の予め定義されたエアインタフェース構成の１つ又は複数のパラメータの変更を指示する段階と、
前記インデックス及び前記変更命令に基づいて、前記変更されたエアインタフェース構成に従ってデータを送信又は受信する段階と
を含む
方法。
【請求項２】
前記変更されたエアインタフェース構成に従ってデータを送信又は受信する段階は、前記予め定義されたエアインタフェース構成に従ってデータを最初に送信又は受信することなく、前記変更されたエアインタフェース構成に従ってデータを送信又は受信する段階を含む、請求項１に記載の方法。
【請求項３】
前記複数の予め定義されたエアインタフェース構成の各々は、予め定義されたサブキャリアスペーシングを含む、請求項１又は２に記載の方法。
【請求項４】
１つ又は複数のパラメータの前記変更は、前記予め定義されたサブキャリアスペーシングの変更を含む、請求項３に記載の方法。
【請求項５】
前記変更命令は、前記第１の予め定義されたエアインタフェース構成において、前記第１の予め定義されたエアインタフェース構成に、又は前記第１の予め定義されたエアインタフェース構成から、ハイブリッド自動再送要求（ＨＡＲＱ）再送信スキームを変更、追加、又は削除するように、前記無線デバイスに命令する、請求項１から４の何れか一項に記載の方法。
【請求項６】
前記変更命令は、前記無線デバイスに、前記第１の予め定義されたエアインタフェース構成の波形を変更するように命令する、請求項１から５の何れか一項に記載の方法。
【請求項７】
前記変更命令は、前記無線デバイスに、前記第１の予め定義されたエアインタフェース構成の物理層パラメータを変更するように命令する、請求項１から６の何れか一項に記載の方法。
【請求項８】
前記変更命令は、前記無線デバイスに、前記第１の予め定義されたエアインタフェース構成のサブキャリアスペーシング、サイクリックプリフィクス（ＣＰ）長さ、シンボル持続時間、又は送信時間間隔（ＴＴＩ）長さを変更するように命令する、請求項７に記載の方法。
【請求項９】
プロセッサと、
前記プロセッサによる実行のためのプログラミングを格納する非一時的コンピュータ可読記憶媒体であって、前記プログラミングは、
ネットワークデバイスからインデックス及び変更命令を受信する命令であって、前記インデックスは、複数の予め定義されたエアインタフェース構成のうちの第１のものと関連付けられ、前記変更命令は、変更されたエアインタフェース構成を生成するべく、前記第１の予め定義されたエアインタフェース構成の１つ又は複数のパラメータの変更を指示する命令と、
前記予め定義されたエアインタフェース構成を最初に確立することなく、前記インデックス及び前記変更命令に基づいて、前記変更されたエアインタフェース構成を確立する命令と
を含む、非一時的コンピュータ可読記憶媒体と
を含む
無線デバイス。
【請求項１０】
前記変更命令は、前記第１の予め定義されたエアインタフェース構成において、前記第１の予め定義されたエアインタフェース構成に、又は前記第１の予め定義されたエアインタフェース構成から、ハイブリッド自動再送要求（ＨＡＲＱ）再送信スキームを変更、追加、又は削除するように、前記無線デバイスに命令する、請求項９に記載の無線デバイス。
【請求項１１】
前記変更命令は、前記無線デバイスに、前記第１の予め定義されたエアインタフェース構成の波形を変更するように命令する、請求項９又は１０に記載の無線デバイス。
【請求項１２】
前記変更命令は、前記無線デバイスに、前記第１の予め定義されたエアインタフェース構成の物理層パラメータを変更するように命令する、請求項９から１１の何れか一項に記載の無線デバイス。
【請求項１３】
前記変更命令は、前記無線デバイスに、前記第１の予め定義されたエアインタフェース構成のサブキャリアスペーシング、サイクリックプリフィクス（ＣＰ）長さ、シンボル持続時間、又は送信時間間隔（ＴＴＩ）長さを変更するように命令する、請求項１２に記載の無線デバイス。
【請求項１４】
エアインタフェースを確立するための方法であって、
無線デバイスが、ネットワークデバイスから複数の予め定義されたエアインタフェース構成のインデックスを受信する段階と、
前記複数の予め定義されたエアインタフェース構成のうちの１つを選択する段階であって、前記選択された予め定義されたエアインタフェース構成は、前記インデックスのうちの特定のものと関連付けられる、段階と、
前記ネットワークデバイスに前記特定のインデックスを送信する段階と
を含む
方法。
【請求項１５】
前記無線デバイスから受信された前記特定のインデックスに基づいて、基地局と前記無線デバイスとの間の前記選択されたエアインタフェース構成を確立する段階
を更に含む、請求項１４に記載の方法。
【請求項１６】
前記無線デバイスが、前記ネットワークデバイスに変更要求を送信する段階であって、前記変更要求は、変更されたエアインタフェース構成を生成するべく、前記選択されたエアインタフェース構成の１つ又は複数のパラメータが変更されることを要求する段階と、
基地局と前記無線デバイスとの間に確立されている前記選択されたエアインタフェース構成を最初に確立することなく、前記基地局と前記無線デバイスとの間の前記変更されたエアインタフェース構成を確立する段階と
を更に含む、請求項１４に記載の方法。
【請求項１７】
前記変更指示は、ハイブリッド自動再送要求（ＨＡＲＱ）再送信スキームが、前記選択されたエアインタフェース構成において変更され、前記選択されたエアインタフェース構成に追加され、又は前記選択されたエアインタフェース構成から削除されることを要求する、請求項１６に記載の方法。
【請求項１８】
前記変更要求は、前記選択されたエアインタフェース構成の波形の変更を要求する、請求項１６に記載の方法。
【請求項１９】
前記変更要求は、前記選択されたエアインタフェース構成のサブキャリアスペーシング、サイクリックプリフィクス（ＣＰ）長さ、シンボル持続時間、又は送信時間間隔（ＴＴＩ）長さの変更を要求する、請求項１６に記載の方法。
【請求項２０】
プロセッサと、
前記プロセッサによる実行のためのプログラミングを格納する非一時的コンピュータ可読記憶媒体であって、前記プログラミングは、
ネットワークデバイスから複数の予め定義されたエアインタフェース構成のインデックスを受信する命令と、
前記複数の予め定義されたエアインタフェース構成のうちの１つを選択する命令であって、前記選択された予め定義されたエアインタフェース構成は、前記インデックスのうちの特定のものと関連付けられる、選択する命令と、
前記ネットワークデバイスに前記特定のインデックスを送信する命令と
を含む、非一時的コンピュータ可読記憶媒体と
を含む
無線デバイス。
【請求項２１】
前記プログラミングは、
前記無線デバイスから受信された前記特定のインデックスに基づいて、基地局と前記無線デバイスとの間の前記選択されたエアインタフェース構成を確立する命令
を更に含む、請求項２０に記載の無線デバイス。
【請求項２２】
前記プログラミングは、
前記ネットワークデバイスに変更要求を送信する命令であって、前記変更要求は、変更されたエアインタフェース構成を生成するべく、前記選択されたエアインタフェース構成の１つ又は複数のパラメータが変更されることを要求する、送信する命令と、
基地局と前記無線デバイスとの間に確立されている前記選択されたエアインタフェース構成を最初に確立することなく、前記基地局と前記無線デバイスとの間の前記変更されたエアインタフェース構成を確立する命令と
を更に含む、請求項２０に記載の無線デバイス。
【請求項２３】
前記変更指示は、ハイブリッド自動再送要求（ＨＡＲＱ）再送信スキームが、前記選択されたエアインタフェース構成において変更され、前記選択されたエアインタフェース構成に追加され、又は前記選択されたエアインタフェース構成から削除されることを要求する、請求項２２に記載の無線デバイス。
【請求項２４】
エアインタフェース構成中のオーバヘッドを低減するための方法であって、
ネットワークデバイスが、無線デバイスにインデックス及び変更命令を送信する段階であって、前記インデックスは、複数の予め定義されたエアインタフェース構成のうちの第１のものと関連付けられ、前記変更命令は、前記第１の予め定義されたエアインタフェース構成の１つ又は複数のパラメータの変更を指示し、変更されたエアインタフェース構成を生成し、前記インデックス及び前記変更命令は、前記無線デバイスに、前記予め定義されたエアインタフェース構成を最初に確立することなく、前記変更されたエアインタフェース構成を確立するように命令する、段階
を含む
方法。
【請求項２５】
前記変更命令は、前記第１の予め定義されたエアインタフェース構成のハイブリッド自動再送要求（ＨＡＲＱ）再送信スキームを変更、追加、又は削除するように、前記無線デバイスに命令する、請求項２４に記載の方法。
【請求項２６】
前記変更命令は、前記無線デバイスに、前記第１の予め定義されたエアインタフェース構成の波形を変更するように命令する、請求項２４に記載の方法。
【請求項２７】
前記変更命令は、前記無線デバイスに、前記第１の予め定義されたエアインタフェース構成の物理層パラメータを変更するように命令する、請求項２４に記載の方法。
【請求項２８】
前記変更命令は、前記無線デバイスに、前記第１の予め定義されたエアインタフェース構成のサブキャリアスペーシング、サイクリックプリフィクス（ＣＰ）長さ、シンボル持続時間、又は送信時間間隔（ＴＴＩ）長さを変更するように命令する、請求項２７に記載の方法。
【請求項２９】
プロセッサと、
前記プロセッサによる実行のためのプログラミングを格納する非一時的コンピュータ可読記憶媒体であって、前記プログラミングは、
無線デバイスにインデックス及び変更命令を送信する命令であって、前記インデックスは、複数の予め定義されたエアインタフェース構成のうちの第１のものと関連付けられ、前記変更命令は、変更されたエアインタフェース構成を生成するべく、前記第１の予め定義されたエアインタフェース構成の１つ又は複数のパラメータの変更を指示し、前記インデックス及び前記変更命令は、前記無線デバイスに、前記予め定義されたエアインタフェース構成を最初に確立することなく、前記変更されたエアインタフェース構成を確立するように命令する、送信する命令
を含む、非一時的コンピュータ可読記憶媒体と
を含む
ネットワークデバイス。
【請求項３０】
エアインタフェース構成中のオーバヘッドを低減するための方法であって、
ネットワークデバイスが、無線デバイスに複数の予め定義されたエアインタフェース構成のインデックスを送信する段階と、
前記ネットワークデバイスが、前記無線デバイスから特定のインデックスを受信する段階であって、前記特定のインデックスは、前記無線デバイスに送信された前記インデックスのうちの１つであり、前記特定のインデックスは、前記無線デバイスにより選択された前記複数の予め定義されたエアインタフェース構成のうちの１つを識別する、段階と
を含む、
方法。
【請求項３１】
前記無線デバイスから受信された前記特定のインデックスに基づいて、基地局と前記無線デバイスとの間の前記選択されたエアインタフェース構成を確立する、又はその前記確立を促す段階
を更に含む、請求項３０に記載の方法。
【請求項３２】
前記無線デバイスから変更指示を受信する段階であって、前記変更指示は、前記選択されたエアインタフェース構成の１つ又は複数のパラメータが変更されることを要求し、変更されたエアインタフェース構成を生成する、段階と、
前記選択されたエアインタフェース構成が、基地局と前記無線デバイスとの間に確立されることなく、前記基地局と前記無線デバイスとの間の前記変更されたエアインタフェース構成を確立する、又はその前記確立を促す段階と
を更に含む、請求項３０に記載の方法。
【請求項３３】
前記変更指示は、ハイブリッド自動再送要求（ＨＡＲＱ）再送信スキームが、前記選択されたエアインタフェース構成において変更され、前記選択されたエアインタフェース構成に追加され、又は前記選択されたエアインタフェース構成から削除されることを要求する、請求項３２に記載の方法。
【請求項３４】
前記変更指示は、前記選択されたエアインタフェース構成の波形の変更を要求する、請求項３２に記載の方法。
【請求項３５】
前記変更要求は、前記選択されたエアインタフェース構成のサブキャリアスペーシング、サイクリックプリフィクス（ＣＰ）長さ、シンボル持続時間、又は送信時間間隔（ＴＴＩ）長さの変更を要求する、請求項３２に記載の方法。
【請求項３６】
プロセッサと、
前記プロセッサによる実行のためのプログラミングを格納する非一時的コンピュータ可読記憶媒体であって、前記プログラミングは、
無線デバイスに複数の予め定義されたエアインタフェース構成のインデックスを送信する命令と、
前記無線デバイスから特定のインデックスを受信する命令であって、前記特定のインデックスは、前記無線デバイスに送信された前記インデックスのうちの１つであり、前記特定のインデックスは、前記無線デバイスにより選択された前記複数の予め定義されたエアインタフェース構成のうちの１つを識別する、受信する命令と
を含む、非一時的コンピュータ可読記憶媒体と
を含む
ネットワークデバイス。
【発明の詳細な説明】
【技術分野】
【０００１】
本特許出願は、２０１５年１１月４日に出願された、発明の名称を「Ｓｙｓｔｅｍｓ  ａｎｄ  Ｍｅｔｈｏｄｓ  ｆｏｒ  Ｃｏｎｆｉｇｕｒｉｎｇ  Ａｉｒ  Ｉｎｔｅｒｆａｃｅｓ  ｗｉｔｈ  Ｌｏｗ  Ｏｖｅｒｈｅａｄ」とする米国仮出願第６２／２５０，９５６号に対する優先権を主張する、２０１６年４月８日に出願された、発明の名称を「Ｓｙｓｔｅｍｓ  ａｎｄ  Ｍｅｔｈｏｄｓ  ｆｏｒ  Ｃｏｎｆｉｇｕｒｉｎｇ  Ａｉｒ  Ｉｎｔｅｒｆａｃｅｓ  ｗｉｔｈ  Ｌｏｗ  Ｏｖｅｒｈｅａｄ」とする米国特許出願第１５／０９３，９４４号に対する優先権を主張し、これらの全ての内容は、これらの全体が再現されるかのように、参照により本明細書に組み込まれる。
【０００２】
本発明は、無線通信に関し、特定の実施形態において、低オーバヘッドのエアインタフェースを構成するためのシステム及び方法に関する。
【背景技術】
【０００３】
次世代無線ネットワークは、様々な、しばしば変化するチャネル条件にわたって高いスループット率を提供しながら、多様なトラフィックタイプ（例えば、音声、データ、モバイルゲーム）をサポートする必要がある。これを実現するため、ネットワークデバイスが、効率的な方法で異なるエアインタフェース構成を動的に確立する能力を有する必要があり得る。従って、無線ネットワークにおいてエアインタフェースを効率的に構成するための技術が望まれている。
【発明の概要】
【０００４】
技術的利点が、概して、低オーバヘッドのエアインタフェースを構成するためのシステム及び方法を説明する本開示の実施形態によって実現される。
【０００５】
実施形態によれば、エアインタフェース構成中のオーバヘッドを低減するための方法が提供される。この例において、方法は、無線デバイスにインデックス及び変更命令を送信することを含む。インデックスは、複数の予め定義されたエアインタフェース構成のうちの第１のものと関連付けられ、変更命令は、第１の予め定義されたエアインタフェース構成の１つ又は複数のパラメータの変更を指示し、変更されたエアインタフェース構成を生成する。インデックス及び変更命令は、無線デバイスに、予め定義されたエアインタフェース構成を最初に確立することなく、変更されたエアインタフェース構成を確立するように命令する。本方法を実行するための装置もまた提供される。
【０００６】
別の実施形態によれば、エアインタフェース構成中のオーバヘッドを低減するための更に別の方法が提供される。この例において、方法は、無線デバイスでネットワークデバイスからインデックス及び変更命令を受信することを含む。インデックスは、複数の予め定義されたエアインタフェース構成のうちの第１のものと関連付けられ、変更命令は、第１の予め定義されたエアインタフェース構成の１つ又は複数のパラメータの変更を指示し、変更されたエアインタフェース構成を生成する。方法は、予め定義されたエアインタフェース構成を最初に確立することなく、インデックス及び変更命令に基づいて変更されたエアインタフェース構成を確立することを更に含む。本方法を実行するための装置もまた提供される。
【０００７】
別の実施形態によれば、エアインタフェース構成中のオーバヘッドを低減するための更に別の方法が提供される。この例において、方法は、無線デバイスに複数の予め定義されたエアインタフェース構成のインデックスを送信すること、及び無線デバイスからインデックスのうちの特定のものを受信することを含む。特定のインデックスは、無線デバイスにより選択された複数の予め定義されたエアインタフェース構成のうちの１つを識別する。本方法を実行するための装置もまた提供される。
【０００８】
別の実施形態によれば、エアインタフェース構成中のオーバヘッドを低減するための更に別の方法が提供される。この例において、方法は、無線デバイスで、ネットワークデバイスから複数の予め定義されたエアインタフェース構成のインデックスを受信すること、及び複数の予め定義されたエアインタフェース構成のうちの１つを選択することを含む。選択された予め定義されたエアインタフェース構成は、インデックスのうちの特定のものと関連付けられる。方法は、ネットワークデバイスに特定のインデックスを送信することを更に含む。本方法を実行するための装置もまた提供される。
【図面の簡単な説明】
【０００９】
本発明及びその利点をより完全に理解するために、ここで、添付の図面に関連する以下の説明を参照する。
【００１０】
【図１】実施形態に係る無線ネットワークの図である。
【００１１】
【図２】エアインタフェース構成を確立するための、実施形態に係る通信シーケンスの図である。
【００１２】
【図３】エアインタフェース構成を動的に確立するための、実施形態に係る方法のフローチャートである。
【００１３】
【図４】エアインタフェース構成を動的に確立するための別の実施形態に係る方法のフローチャートである。
【００１４】
【図５】エアインタフェース構成を確立するための別の実施形態に係る通信シーケンスの図である。
【００１５】
【図６】エアインタフェース構成を動的に確立するための更に別の実施形態に係る方法のフローチャートである。
【００１６】
【図７】エアインタフェース構成を動的に確立するための更に別の実施形態に係る方法のフローチャートである。
【００１７】
【図８】エアインタフェース構成を確立するための更に別の実施形態に係る通信シーケンスの図である。
【００１８】
【図９】エアインタフェース構成を動的に確立するための更に別の実施形態に係る方法のフローチャートである。
【００１９】
【図１０】エアインタフェース構成を動的に確立するための更に別の実施形態に係る方法のフローチャートである。
【００２０】
【図１１】実施形態に係る制御シグナリングメッセージの図である。
【００２１】
【図１２】実施形態に係る制御シグナリングメッセージの図である。
【００２２】
【図１３】実施形態に係る処理システムの図である。
【００２３】
【図１４】実施形態に係る送受信機の図である。
【００２４】
別途指示されない限り、異なる図面における対応する番号及び記号は概して、対応する部分を指す。図面は、実施形態の関連する態様を明確に図示するよう描写され、必ずしも縮尺通りに描写されてはいない。
【発明を実施するための形態】
【００２５】
本開示の実施形態の形成及び利用が、以下、詳細に説明される。しかしながら、本発明は、多様な具体的状況において具現可能な多数の適用可能な発明の概念を提供することを理解されたい。説明されている具体的な実施形態は、本発明を形成及び利用するための具体的な手段の例示に過ぎず、本発明の範囲を限定するものではない。 
【００２６】
ネットワークデバイスが、無線デバイスに、パラメータのサブセットに基づいてエアインタフェースを動的に構成するように命令し得る。エアインタフェースを構成するために使用されるパラメータのサブセットは、総称して「エアインタフェース構成」と称され、物理層パラメータ、波形、送信モード、アクセススキーム、再送信スキーム、又はそれらの組み合わせを含み得る。エアインタフェースを動的に構成する１つの手法は、制御シグナリングを介してモバイルデバイスに予め定義されたエアインタフェース構成と関連付けられたインデックスを伝送することである。より具体的には、候補エアインタフェース構成の各々により指定されたパラメータが、ネットワークにおけるネットワークデバイス及びネットワークにアクセスする無線デバイスによって知られるように、候補エアインタフェース構成のプールが、ネットワークに関して予め定義される。候補エアインタフェース構成の各々は、異なるインデックスと関連付けられる。候補エアインタフェース構成のパラメータ及びインデックスの関連付けは、製造者により無線デバイスに格納され得る。代替的に、無線デバイスは、無線デバイスとネットワークとの間の以前の通信セッションの間に、又は、ネットワークに予め定義された、例えば、別の無線デバイスから受信された、発見サーバからダウンロードされた、サードパーティからの候補エアインタフェース構成のパラメータ及びインデックスの関連付けを知ってもよい。上述の手法を使用する場合に動的なエアインタフェース構成をサポートするために必要とされる制御シグナリングオーバヘッドの量は、どれ程多くの候補エアインタフェース構成がネットワークに関して予め定義されるかに大きく依存する。候補エアインタフェース構成のより大きいプールが、より大きい範囲のインデックスを必要とし、これにより、インデックスをシグナリングするために必要とされるビットの数を増加させる。
【００２７】
本開示の態様は、インデックスと共に変更命令を伝送することにより、エアインタフェース構成を動的に確立するために必要とされるオーバヘッドの量を低減する。変更命令は、インデックスと関連付けられる予め定義されたエアインタフェース構成の１つ又は複数のパラメータへの変更を識別する。共に、インデックス及び変更指示は、ネットワークに関して予め定義された候補エアインタフェース構成のいずれかとは異なる変更されたエアインタフェース構成を指定する。インデックスと共に変更されたエアインタフェース命令を伝送することにより、ネットワークデバイスが、無線デバイスに、予め定義されたエアインタフェース構成を最初に確立することなく、変更されたエアインタフェース構成を確立するように命令する。本明細書において用いられるように、予め定義されたエアインタフェース構成により定義されたパラメータに従って送信が実行される場合に、予め定義されたエアインタフェース構成が「確立される」。従って、変更命令は、ネットワークが、より少ない予め定義されたエアインタフェース構成を使用しつつ、同様の程度の柔軟性を実現することを可能にし、同様に、選択されたエアインタフェース構成と関連付けられるインデックスが、より少数のビットを使用してシグナリングされることを可能にする。このオーバヘッドの節約は、多くのネットワーク構成に関する変更命令と関連付けられる制御シグナリングオーバヘッドを上回る。
【００２８】
実施形態において、変更命令は、予め定義されたエアインタフェース構成により指定されたハイブリッド自動再送要求（ＨＡＲＱ）再送信スキームを変更するように、無線デバイスに命令する。別の実施形態において、変更命令は、予め定義されたエアインタフェース構成にＨＡＲＱ再送信スキームを追加、又は予め定義されたエアインタフェース構成からＨＡＲＱ再送信スキームを削除するように、無線デバイスに命令する。更に別の実施形態において、変更命令は、無線デバイスに、予め定義されたエアインタフェース構成の波形を変更するように命令する。例えば、予め定義されたエアインタフェース構成は、直交周波数分割多重化（ＯＦＤＭ）波形を使用することを指定し得、変更命令は、無線デバイスに、ＯＦＤＭ波形ではなく符号分割多重化（ＣＤＭ）波形を使用するように命令し得る。更に別の実施形態において、変更命令は、無線デバイスに、予め定義されたエアインタフェース構成の物理層パラメータを変更するように命令する。例えば、変更命令は、無線デバイスに、予め定義されたエアインタフェース構成と関連付けられたサブキャリアスペーシング、サイクリックプリフィクス（ＣＰ）長さ、シンボル持続時間、及び／又は送信時間間隔（ＴＴＩ）長さを変更するように命令し得る。
【００２９】
更に、本開示の態様は、無線デバイスが予め定義されたエアインタフェース構成を選択することを可能にする。一実施形態において、ネットワークデバイスは、無線デバイスに複数の予め定義されたエアインタフェース構成と関連付けられたインデックスを送信する。無線デバイスは、次に、予め定義されたエアインタフェース構成のうちの１つを選択し、ネットワークデバイスに対応するインデックスを戻し、これは、ネットワークにおいて無線デバイスと基地局との間の選択されたエアインタフェース構成の確立を促す。 
【００３０】
いくつかの実施形態において、無線デバイスは、ネットワークデバイスに変更命令を伝送し、インデックスと関連付けられるエアインタフェース構成に変更がなされることを要求する。エアインタフェース構成は、ネットワークデバイスにより選択されていてもよく、この場合、無線デバイスは、ネットワークデバイスからインデックスを受信した後、ネットワークデバイスに変更命令を伝送する。代替的に、エアインタフェース構成は、無線デバイスにより選択されていてもよく、この場合、無線デバイスは、ネットワークデバイスにインデックスと共に変更命令を伝送する。これらの態様及び他の態様が、以下、より詳細に説明される。 
【００３１】
図１は、データを伝送するための無線ネットワーク１００の図である。無線ネットワーク１００は、カバレッジエリア１０１を有する基地局１１０と、複数のモバイルデバイス１２０と、バックホールネットワーク１３０とを含む。図示されるように、基地局１１０は、アップリンク（破線）及び／又はダウンリンク（点線）接続をモバイルデバイス１２０と確立し、これらは、モバイルデバイス１２０から基地局１１０にデータを伝送する役割を果たす、及び逆方向にも同様である。アップリンク／ダウンリンク接続を介して伝送されるデータは、モバイルデバイス１２０間で伝送されるデータ、及びバックホールネットワーク１３０によって遠隔側（不図示）との間で伝送されるデータを含んでよい。本明細書において用いられるように、「基地局」という用語は、発展型ノードＢ（ｅＮＢ）、マクロセル、フェムトセル、Ｗｉ−Ｆｉ（登録商標）  アクセスポイント（ＡＰ）、又は他の無線可能デバイス等のネットワークへの無線アクセスを提供するように構成された任意のコンポーネント（又はコンポーネントの集合）を指す。基地局は、１つ又は複数の無線通信プロトコル、例えば、ロングタームエボリューション（ＬＴＥ）、ＬＴＥアドバンスド（ＬＴＥ−Ａ）、高速パケットアクセス（ＨＳＰＡ）、Ｗｉ−Ｆｉ８０２．１１ａ／ｂ／ｇ／ｎ／ａｃ等に従って、無線アクセスを提供してよい。本明細書において用いられるように、「モバイルデバイス」という用語は、無線接続を基地局と確立可能な任意のコンポーネント（又はコンポーネントの集合）を指す。「モバイルデバイス」、「ユーザ機器（ＵＥ）」及び「移動局（（ＳＴＡ））」という用語は、本開示を通じて交換可能に用いられる。いくつかの実施形態において、ネットワーク１００は、リレー等の様々な他の無線デバイスを含んでよい。無線デバイスという用語は、モバイルデバイス、リレーステーション、又はスマートデバイス等の、無線ネットワークにアクセスする、又は無線ネットワークへのアクセスを容易にする任意のデバイスを指す。ネットワークデバイスという用語は、基地局、スケジューラ、又は中央コントローラ等の、無線ネットワークへのアクセスを提供する、無線ネットワークへのアクセスを容易にする、又は無線ネットワークへのアクセスを制御する任意のデバイスを指す。いくつかの実施形態において、ネットワークデバイスが、無線デバイスと直接通信する。他の実施形態において、ネットワークデバイスが、無線デバイスと間接的に通信し、それは、スケジューラ又は中央コントローラが、中間基地局を介して移動局と通信する場合に発生し得る。
【００３２】
本開示の実施形態は、予め定義されたエアインタフェース構成のパラメータを変更する変更命令を使用する。変更命令は、予め定義されたエアインタフェース構成と関連付けられた１つ又は複数の物理層パラメータへの変更を指示し得る。例えば、変更命令は、予め定義されたエアインタフェース構成と関連付けられた送信時間間隔（ＴＴＩ）、シンボル持続時間、サイクリックプリフィクス（ＣＰ）長さ、サブキャリアのスペーシングのいずれか１つ、又は組み合わせへの変更を指示し得る。
【００３３】
変更命令は、予め定義されたエアインタフェース構成により指定された波形への変更を指示し得る。予め定義されたエアインタフェース構成は、無線送信を伝送可能な任意の波形と関連付けられ得る。変更命令は、予め定義されたエアインタフェース構成と関連付けられた波形が、無線送信を伝送可能な任意の他の波形で置き換えられるよう指示し得る。例えば、変更命令は、ＯＦＤＭ波形、シングルキャリア周波数分割多重（ＳＣ−ＦＤＭ）波形、フィルタバンクマルチキャリア（ＦＢＭＣ）波形、インタリーブされた周波数分割多重（ＩＦＤＭ）波形、ＣＤＭ波形、離散フーリエ変換−拡散ＯＦＤＭ（ＤＦＴ−Ｓ−ＯＦＤＭ）波形、フィルタリングされたＯＦＤＭ（Ｆ−ＯＦＤＭ）波形、及びスパース・コード多元接続（ＳＣＭＡ）波形、の波形のうちのいずれかの間での切り替えを指示し得る。 
【００３４】
変更命令は、予め定義されたエアインタフェース構成と関連付けられたアクセススキームへの変更を指示し得る。例えば、変更命令は、スケジューリングベースのアクセススキームからグラントフリーアクセススキームに、又は逆方向にも同様に切り替えを指示し得える。グラントフリーアクセススキームは、競合ベースのアクセス（例えば、リッスン・ビフォー・トーク（ｌｉｓｔｅｎ  ｂｅｆｏｒｅ  ｔａｌｋ）、等）を使用してもよく、又はしなくてもよい。例えば、１つのグラントフリーシナリオが、ＵＥが、競合の必要なく専用リソースを使用することを可能にし得る。別の例において、変更命令は、スケジューリングベースのアクセススキーム又はグラントフリーアクセススキームから、スケジューリングベースのアクセス及びグラントフリーアクセスの両方をサポートする混合アクセススキームへの切り替えを指示し得る。このような実施形態において、ＵＥが、スケジューリングベースのアクセススキーム及びグラントフリーアクセススキームの一方又は両方を選択し得、様々なタイプのデータを送信する。一例において、ＵＥは、長いデータパケット送信のためのスケジューリングベースのアクセス、及び短いデータパケット送信のためのグラントフリーアクセスを選択する。別の例において、ＵＥは、グラントフリーアクセススキームを使用して遅延に敏感なアプリケーションのためのデータを送信し、スケジューリングベースのアクセススキームを使用して遅延に耐性のあるアプリケーションのためのデータを送信する。いくつかの実施形態において、エアインタフェース構成が、リソースの異なる組に対して異なるアクセス技術を指定する。例えば、エアインタフェース構成は、競合ベースのグラントフリーアクセスを介してアクセスされるリソースもあれば、スケジューリングベースのアクセスを介してアクセスされるリソースもあることを指定し得る。変更命令は、予め定義されたエアインタフェース構成と関連付けられた再送信スキームの変更を指示し得る。例えば、変更命令は、ＨＡＲＱ再送信スキームのパラメータ（例えば、往復時間等）が変更されることを指示し得る。代替的に、変更命令は、ＨＡＲＱ再送信スキームが、予め定義されたエアインタフェース構成と関連付けられたパラメータのサブセットに追加される、又は予め定義されたエアインタフェース構成と関連付けられたパラメータのサブセットから削除されることを指示し得る。 
【００３５】
本開示の実施形態は、変更命令及びインデックスを使用して、変更されたエアインタフェース構成を確立するための方法を提供する。図２は、エアインタフェース構成を確立するための、実施形態に係る通信シーケンス２００の図である。通信シーケンス２００において、ネットワークデバイス２１０が、無線デバイス２２０にインデックス２１２及び変更命令２１４を送信する。この例において、ネットワークデバイス２１０は、基地局であり、無線デバイス２２０は、ＵＥである。他の例において、ネットワークデバイス２１０は、ネットワークコントローラであってもよく、無線デバイス２２０は、基地局、リレー、又はエアインタフェースを介して通信するように構成された任意の他のデバイスであってもよい。インデックス２１２は、予め定義されたエアインタフェース構成と関連付けられる。インデックス２１２と予め定義されたエアインタフェース構成との間の関連付けは、無線デバイス２２０への事前情報であってもよい。例えば、無線デバイス２２０は、１組のインデックスを１組の予め定義されたエアインタフェース構成と関連付けるルックアップテーブルを維持してもよい。変更命令２１４は、インデックス２１２と関連付けられる予め定義されたエアインタフェース構成の１つ又は複数のパラメータへの変更を指示する。インデックス２１２及び変更命令２１４を受信した後、無線デバイス２２０は、予め定義されたエアインタフェース構成を最初に確立することなく、変更されたＡＩ２１８を確立する。インデックス２１２及び変更命令２１４は、同じ制御シグナリングメッセージで共に送信されてもよく、又は異なる制御シグナリングメッセージで別々に送信されてもよい。
【００３６】
実施形態において、変更命令２１４は、予め定義されたエアインタフェース構成により指定されたＨＡＲＱ再送信スキームを変更するように、無線デバイス２２０に命令する。別の実施形態において、変更命令２１４は、インデックス２１２と関連付けられた予め定義されたエアインタフェース構成に、又はインデックス２１２と関連付けられた予め定義されたエアインタフェース構成から、ＨＡＲＱ再送信スキームを追加、又は削除するように、無線デバイス２２０に命令する。更に別の実施形態において、変更命令２１４は、インデックス２１２と関連付けられた予め定義されたエアインタフェース構成の波形を変更するように、無線デバイス２２０に命令する。例えば、予め定義されたエアインタフェース構成は、ＯＦＤＭ波形を使用することを指定し得、変更命令２１４は、無線デバイス２２０に、ＯＦＤＭ波形ではなくＣＤＭ波形を使用するように命令し得る。更に別の実施形態において、変更命令２１４は、インデックス２１２と関連付けられた予め定義されたエアインタフェース構成の物理層パラメータを変更するように、無線デバイス２２０に命令する。例えば、変更命令２１４は、無線デバイス２２０に、インデックス２１２と関連付けられた予め定義されたエアインタフェース構成と関連付けられたサブキャリアスペーシング、ＣＰ長さ、シンボル持続時間、及び／又はＴＴＩ長さを変更するように命令し得る。
【００３７】
図３は、ネットワークデバイスによって実行され得る場合の、エアインタフェース構成を動的に確立するための、実施形態に係る方法３００のフローチャートである。段階３１０において、ネットワークデバイスは、無線デバイスにインデックス及び変更命令を送信する。インデックスは、ネットワークにより予め定義された候補エアインタフェース構成の１つと関連付けられ、変更命令は、予め定義されたエアインタフェース構成の１つ又は複数のパラメータの変更を指示する。共に、インデックス及び変更命令は、変更されたエアインタフェース構成を識別する。段階３２０において、ネットワークデバイスは、インデックス及び変更命令に基づいて、無線デバイスと基地局との間の変更されたエアインタフェース構成を確立する、又はその確立を命令する。変更されたエアインタフェース構成は、無線デバイスと基地局との間に予め定義されたエアインタフェース構成を最初に確立することなく、無線デバイスと基地局との間に確立される。
【００３８】
図４は、無線デバイスによって実行され得る場合の、エアインタフェース構成を動的に確立するための、実施形態に係る方法４００のフローチャートである。段階３１０において、無線デバイスは、ネットワークデバイスからインデックス及び変更命令を受信する。段階３２０において、無線デバイスは、インデックス及び変更命令に基づいて、変更されたエアインタフェース構成を基地局と確立する。インデックス及び変更命令を伝送するネットワークデバイスは、基地局又は別のネットワークデバイス（例えば、中央コントローラ）であり得る。変更されたエアインタフェース構成は、無線デバイスと基地局との間に予め定義されたエアインタフェース構成を最初に確立することなく、無線デバイスと基地局との間に確立される。
【００３９】
本開示の実施形態は、無線デバイスが予め定義されたエアインタフェース構成を選択することを可能にする。図５は、エアインタフェース構成を確立するための、実施形態に係る通信シーケンス５００の図である。通信シーケンス５００において、ネットワークデバイス５１０が、無線デバイス５２０に、複数の候補エアインタフェース構成を指示する少なくとも１つの制御メッセージ５１１を送信する。この例において、ネットワークデバイス５１０は、基地局であり、無線デバイス５２０は、ＵＥである。他の例において、ネットワークデバイス５１０は、ネットワークコントローラであってもよく、無線デバイス５２０は、基地局、リレー、又はエアインタフェースを介して通信するように構成された任意の他のデバイスであってもよい。一実施形態において、制御メッセージ５１１は、情報要素のリストを保持し、その各々は、候補エアインタフェース構成のうちの異なるもののためのパラメータを指示する。別の実施形態において、制御メッセージ５１１は、予め定義されたエアインタフェース構成のサブセットと関連付けられたインデックスのリストを保持する。例として、無線デバイス５２０は、１組のインデックスを１組の予め定義されたエアインタフェース構成と関連付けるルックアップテーブルを維持してもよく、制御メッセージ５１１におけるインデックスのリストは、ルックアップテーブルに格納された１組のインデックスからのインデックスのサブセットを含んでよい。無線デバイス５２０は、次に、制御メッセージ５１１により指示された候補エアインタフェース構成のうちの１つを選択してよい。制御メッセージ５１１から除外された、又は制御メッセージ５１１におけるインデックスのリストから除外されたインデックスと関連付けられるエアインタフェース構成が、無線デバイスによる選択のために利用可能でなくてもよい。無線デバイス５２０は、次に、ネットワークデバイス５１０に、選択されたエアインタフェース構成と関連付けられたインデックス５１２を伝送してもよい。いくつかの実施形態において、複数の候補エアインタフェース構成は、無線デバイス５２０への事前情報であり、無線デバイス５２０は、ネットワークデバイス５１０から制御メッセージ５１１を受信することなく、インデックス５１２を伝送する。例えば、複数の候補エアインタフェース構成は、無線デバイス５２０とネットワークデバイスとの間の以前のセッションから知られていてもよく、又はさもなければ、製造者により無線デバイス５２０のメモリにハードコーディングされていてもよい。インデックス５１２を受信した後、ネットワークデバイス５１０は、選択されたエアインタフェース５１８を無線デバイスと確立してもよい。
【００４０】
図６は、ネットワークデバイスによって実行され得る場合の、エアインタフェース構成を動的に確立するための、実施形態に係る方法６００のフローチャートである。段階６１０において、ネットワークデバイスは、無線デバイスに、複数の候補エアインタフェース構成を指示する制御メッセージを送信する。段階６２０において、ネットワークデバイスは、無線デバイスから少なくとも１つのインデックスを受信する。一実施形態において、ネットワークデバイスは、制御メッセージにおいて指示された候補エアインタフェース構成のうちの特定のものと関連付けられた単一のインデックスを受信する。特定の候補エアインタフェース構成は、制御メッセージを受信した後、無線デバイスにより選択されていてもよい。別の実施形態において、ネットワークデバイスは、制御メッセージにおいて指示された候補エアインタフェース構成のサブセットと関連付けられたインデックスを受信する。インデックスは、無線デバイスに許容可能であるとみなされる、又は無線デバイスにより好適であるエアインタフェース構成のサブセットと関連付けられてもよい。段階６３０において、ネットワークデバイスは、無線デバイスから受信されたインデックスと関連付けられた予め定義されたエアインタフェース構成を確立する、又はその確立を命令する。インデックスは、無線デバイスにより受信された唯一のインデックスであってもよく、又は無線デバイスから受信された複数のインデックスのうちの１つであってもよい。
【００４１】
図７は、無線デバイスによって実行され得る場合の、エアインタフェース構成を動的に確立するための、実施形態に係る方法７００のフローチャートである。段階７１０において、無線デバイスは、ネットワークデバイスから複数のエアインタフェース構成を指示する制御メッセージを受信する。段階７２０において、無線デバイスは、エアインタフェース構成の１つ又は複数を選択する。段階７３０において、無線デバイスは、ネットワークデバイスに、１つ又は複数の選択されたエアインタフェース構成と関連付けられた１つ又は複数のインデックスを送信する。段階７４０において、無線デバイスは、エアインタフェース構成を基地局と確立する。
【００４２】
図８は、エアインタフェース構成を確立するための、実施形態に係る通信シーケンス８００の図である。通信シーケンス８００において、ネットワークデバイス８１０が、無線デバイス８２０に制御メッセージ８１１を送信する。この例において、ネットワークデバイス８１０は、基地局であり、無線デバイス８２０は、ＵＥである。他の例において、ネットワークデバイス８１０は、ネットワークコントローラであってもよく、無線デバイス８２０は、基地局、リレー、又はエアインタフェースを介して通信するように構成された任意の他のデバイスであってもよい。一実施形態において、制御メッセージ８１１は、情報要素のリストを保持し、その各々は、異なる候補エアインタフェース構成のためのパラメータを指示する。別の実施形態において、制御メッセージ８１１は、予め定義されたエアインタフェース構成のサブセットと関連付けられたインデックスのリストを保持する。例として、無線デバイス８２０は、１組のインデックスを１組の予め定義されたエアインタフェース構成と関連付けるルックアップテーブルを維持してもよく、制御メッセージ８１１におけるインデックスのリストは、ルックアップテーブルに格納された１組のインデックスからのインデックスのサブセットを含んでよい。無線デバイス８２０は、次に、制御メッセージ８１１により指示された候補エアインタフェース構成のうちの１つを選択してもよく、次に、ネットワークデバイス８１０に、選択されたエアインタフェース構成と関連付けられたインデックス８１２及び変更命令８１４を送信してもよい。変更命令８１４は、インデックス８１２と関連付けられる予め定義されたエアインタフェース構成の１つ又は複数のパラメータへの変更を指示する。インデックス８１２及び変更命令８１４を受信した後、ネットワークデバイス８１０は、予め定義されたエアインタフェース構成を最初に確立することなく、変更されたエアインタフェース構成８１８を確立する。
【００４３】
実施形態において、変更命令８１４は、ネットワークデバイス８１０が、インデックス８１２と関連付けられた予め定義されたエアインタフェース構成により指定されたＨＡＲＱ再送信スキームを変更することを要求する。別の実施形態において、変更命令８１４は、ネットワークデバイス８１０が、インデックス８１２と関連付けられた予め定義されたエアインタフェース構成に、又はインデックス８１２と関連付けられた予め定義されたエアインタフェース構成から、ＨＡＲＱ再送信スキームを追加、又は削除することを要求する。更に別の実施形態において、変更命令８１４は、ネットワークデバイス８１０が、インデックス８１２と関連付けられた予め定義されたエアインタフェース構成の波形を変更することを要求する。例えば、予め定義されたエアインタフェース構成は、ＯＦＤＭ波形を使用することを指定し得、変更命令８１４は、無線デバイス２２０に、ＯＦＤＭ波形ではなくＣＤＭ波形を使用するように命令し得る。更に別の実施形態において、変更命令８１４は、ネットワークデバイス８１０が、インデックス８１２と関連付けられた予め定義されたエアインタフェース構成の物理層パラメータを変更することを要求する。例えば、変更命令８１４は、ネットワークデバイス８１０が、インデックス８１２と関連付けられた予め定義されたエアインタフェース構成と関連付けられたサブキャリアスペーシング、ＣＰ長さ、シンボル持続時間、及び／又はＴＴＩ長さを変更することを要求し得る。
【００４４】
いくつかの実施形態において、無線デバイスが、ネットワークデバイスにインデックス及び変更命令を送信し、変更されたエアインタフェース構成の確立を要求する。図９は、ネットワークデバイスによって実行され得る場合の、エアインタフェース構成を動的に確立するための、実施形態に係る方法９００のフローチャートである。段階９１０において、ネットワークデバイスは、無線デバイスに、複数の候補エアインタフェース構成を指示する制御メッセージを送信する。段階９２０において、ネットワークデバイスは、無線デバイスからインデックス及び変更命令を受信する。インデックスは、制御メッセージにおいて指示された候補エアインタフェース構成のうちの１つと関連付けられる。段階９３０において、ネットワークデバイスは、無線デバイスにより受信されたインデックス及び変更命令に基づいて、変更されたエアインタフェース構成を確立する、又はその確立を命令する。
【００４５】
図１０は、無線デバイスによって実行され得る場合の、エアインタフェース構成を動的に確立するための、実施形態に係る方法１０００のフローチャートである。段階１０１０において、無線デバイスは、ネットワークデバイスから複数の候補エアインタフェース構成を指示する制御メッセージを受信する。段階１０２０において、無線デバイスは、エアインタフェース構成のうちの１つを選択する。段階１０３０において、無線デバイスは、選択されたエアインタフェース構成の１つ又は複数のパラメータに関する変更を決定する。段階１０４０において、無線デバイスは、ネットワークデバイスに、選択されたエアインタフェースと関連付けられたインデックス、及び変更されたパラメータを識別する変更命令を送信する。段階１０６０において、無線デバイスは、変更されたエアインタフェース構成を基地局と確立する。
【００４６】
図１１は、予め定義されたエアインタフェース構成と関連付けられるインデックスを指示するシグナリングを含む実施形態に係る制御メッセージ１１０１〜１１０３の図である。制御メッセージ１１０２、１１０３は、制御命令を受信する無線デバイスに、予め定義されたエアインタフェース構成のパラメータを変更するように命令する変更命令を更に含む。表１は、図１１において参照される予め定義されたエアインタフェース構成を識別する。 
【表１】
2019500768.tif 000003
【００４７】
表１の例において、ＡＩインデックス０が、ｅＭＢＢトラフィックのために使用され得、ＡＩインデックス１が、ＵＲＬＬＣトラフィックのために使用され得、ＡＩインデックス２が、ｍＭＴＣトラフィックのために使用され得る。個々の要件に基づいて適切な変更が選択され得る。１つの例示的な変更は、次の通りである。ＴＲＰタイプ：ｍａｃｒｏ＋ｐｉｃｏ、アクセススキーム：スケジューリングされている；フレーム構造：タイプ２であるＡＩインデックス１。他の変更も可能である。
【００４８】
この例において、制御メッセージ１１０１は、ＵＥ（ＵＥ１）に、インデックス０と関連付けられた予め定義されたエアインタフェース構成を使用するように命令する。制御メッセージ１１０２は、ＵＥ（ＵＥ２）に、インデックス１と関連付けられた予め定義されたエアインタフェース構成の多元接続（ＭＡ）スキームを変更するように命令する。表２によれば、第１ＭＡタイプ（ＭＡ１）及び第２ＭＡタイプ（ＭＡ２）は、インデックス１と関連付けられた予め定義されたエアインタフェース構成により定義される。制御メッセージ１１０２における変更命令は、ＵＥ２に、インデックス１と関連付けられた予め定義されたエアインタフェース構成からＭＡ１を削除するように命令する。制御メッセージ１１０３は、ＵＥ  グループ（ＵＥＧｒｏｕｐ（３））に、インデックス２と関連付けられた予め定義されたエアインタフェース構成のＴＴＩ持続時間及びプロトコル構成を変更するように命令する。表２によれば、第２ＴＴＩ持続時間（ＴＴＩ２）及び第１プロトコル構成（ＰＣ１）は、インデックス２と関連付けられた予め定義されたエアインタフェース構成により定義される。制御メッセージ１１０３における変更命令は、ＵＥＧｒｏｕｐ（３）に、ＴＴＩ２に第１ＴＴＩ持続時間（ＴＴＩ１）を置き換えることにより、及びＰＣ１に第２プロトコル構成（ＰＣ２）を置き換えることにより、インデックス２と関連付けられた予め定義されたエアインタフェース構成を変更するように命令する。
【００４９】
いくつかの実施形態において、異なるＵＥ及び／又はＵＥ  グループに関する複数の変更命令が、単一の制御メッセージ内に含まれ得、これは、ＵＥ及び／又はＵＥ  グループにマルチキャスト又はブロードキャストされ得る。図１２は、予め定義されたエアインタフェース構成を変更するシグナリングを含む実施形態に係る制御メッセージ１２００の図である。この例において、制御メッセージ１２００は、ＵＥ（ＵＥ３）に、予め定義されたエアインタフェース構成のＴＴＩパラメータを変更するように命令する変更命令１２０４を含む。制御メッセージ１２００は、ＵＥ  グループ（ＵＥｇｒｏｕｐ（５））に、予め定義されたエアインタフェース構成のプロトコル構成を変更するように命令する変更命令１２０５を更に含む。いくつかの実施形態において、制御メッセージ１２００は、変更されているエアインタフェース構成を識別するインデックスを含む。他の実施形態においては、エアインタフェース構成は、ＵＥ４及びＵＥＧｒｏｕｐ（５）への事前情報である一般的な構成であり、この場合、インデックスは、制御メッセージ１２００から除外され得る。
【００５０】
制御メッセージは、１つ又は複数のＵＥ及び／又はＵＥ  グループ（例えば、ＵＥ１、ＵＥ  グループ（２）等）の情報を保持し得、ネットワークデバイスから１つ又は複数の無線デバイスへ伝送され得る。いくつかの実施形態において、制御メッセージが、無線リソース（例えば、時間−周波数ブロック）をＡＩパラメータ（例えば、サブキャリアスペーシング＆ＴＴＩ長さ）にマッピングすることにより、暗黙的にＡＩパラメータを指示する。いくつかの実施形態において、制御メッセージが、１組の予め定義されたエアインタフェース構成から選択された予め定義されたエアインタフェース構成、並びに１つ又は複数のＵＥ及び／又はＵＥのグループに関する変更を指示する。 
【００５１】
図１３は、本明細書で説明される方法を実行するための、実施形態に係る処理システム１３００のブロック図である。処理システム１３００は、ホストデバイスに設けられてよい。図示されるように、処理システム１３００は、プロセッサ１３０４と、メモリ１３０６と、インタフェース１３１０〜１３１４とを含む。これらは、図１３に示されるように構成されてよい（又は、されなくてよい）。プロセッサ１３０４は、関連タスクの演算及び／又は他の処理を実行するように構成される任意のコンポーネント又はコンポーネントの集合であってよく、メモリ１３０６は、プロセッサ１３０４による実行のために、プログラミング及び／又は命令を格納するように構成される任意のコンポーネント又はコンポーネントの集合であってよい。実施形態において、メモリ１３０６は、非一時的コンピュータ可読媒体を含む。インタフェース１３１０、１３１２、１３１４は、処理システム１３００が他のデバイス／コンポーネント及び／又はユーザと通信を行うことを可能とする任意のコンポーネント又はコンポーネントの集合であってよい。例えば、インタフェース１３１０、１３１２、１３１４の１つ又は複数は、プロセッサ１３０４からのデータメッセージ、制御メッセージ、又は管理メッセージを、ホストデバイス及び／又は遠隔デバイスにインストールされたアプリケーションに伝送するように構成されてよい。別の例として、インタフェース１３１０、１３１２、１３１４の１つ又は複数は、ユーザ又はユーザデバイス（例えば、パーソナルコンピュータ（ＰＣ）等）が処理システム１３００とのインタラクト／通信を行うことを可能とするように構成されてよい。処理システム１３００は、長期ストレージ（例えば、不揮発性メモリ等）のような、図１３に示されない更なるコンポーネントを含んでよい。
【００５２】
いくつかの実施形態において、処理システム１３００は、通信ネットワークにアクセスする、さもなければその一部である、ネットワークデバイスに含まれる。一例において、処理システム１３００は、基地局、リレーステーション、スケジューラ、コントローラ、ゲートウェイ、ルータ、アプリケーションサーバ、又は通信ネットワークにおける任意の他のデバイスのような、無線又は有線通信ネットワークにおけるネットワーク側デバイスにある。他の実施形態において、処理システム１３００は、移動局、ユーザ機器（ＵＥ）、パーソナルコンピュータ（ＰＣ）、タブレット、ウェアラブル通信デバイス（例えば、スマートウォッチ等）、又は通信ネットワークにアクセスするように構成される任意の他のデバイスのような、無線又は有線通信ネットワークにアクセスするユーザ側デバイスにある。
【００５３】
いくつかの実施形態において、インタフェース１３１０、１３１２、１３１４の１つ又は複数は、通信ネットワークを介してシグナリングを送信及び受信するように構成される送受信機に、処理システム１３００を接続する。図１４は、通信ネットワークを介してシグナリングを送信及び受信するように構成される送受信機１４００のブロック図である。送受信機１４００は、ホストデバイスに設けられてよい。図示されるように、送受信機１４００は、ネットワーク側インタフェース１４０２と、カプラ１４０４と、送信機１４０６と、受信機１４０８と、信号プロセッサ１４１０と、デバイス側インタフェース１４１２と、を含む。ネットワーク側インタフェース１４０２は、無線又は有線通信ネットワークを介してシグナリングを送信又は受信するように構成される任意のコンポーネント又はコンポーネントの集合を含んでよい。カプラ１４０４は、ネットワーク側インタフェース１４０２を介しての双方向通信を容易にするように構成される任意のコンポーネント又はコンポーネントの集合を含んでよい。送信機１４０６は、ベースバンド信号を、ネットワーク側インタフェース１４０２を介しての送信に適した変調キャリア信号に変換するように構成される任意のコンポーネント又はコンポーネントの集合（例えば、アップコンバータ、電力増幅器等）を含んでよい。受信機１４０８は、ネットワーク側インタフェース１４０２を介して受信されたキャリア信号をベースバンド信号に変換するように構成される任意のコンポーネント又はコンポーネントの集合（例えば、ダウンコンバータ、低ノイズ増幅器等）を含んでよい。信号プロセッサ１４１０は、ベースバンド信号を、デバイス側インタフェース１４１２を介しての通信に適したデータ信号に変換し、逆方向にも同様に変換するように構成される任意のコンポーネント又はコンポーネントの集合を含んでよい。デバイス側インタフェース１４１２は、信号プロセッサ１４１０と、ホストデバイス内のコンポーネント（例えば、処理システム１３００、ローカルエリアネットワーク（ＬＡＮ）ポート等）との間でデータ信号を伝送するように構成される任意のコンポーネント又はコンポーネントの集合を含んでよい。
【００５４】
送受信機１４００は、任意のタイプの通信媒体を介して、シグナリングを送信及び受信してよい。いくつかの実施形態において、送受信機１４００は、無線媒体を介して、シグナリングを送信及び受信する。例えば、送受信機１４００は、セルラプロトコル（例えば、ロングタームエボリューション（ＬＴＥ）等）、無線ローカルエリアネットワーク（ＷＬＡＮ）プロトコル（例えば、Ｗｉ‐Ｆｉ等）、又は任意の他のタイプの無線プロトコル（例えば、Ｂｌｕｅｔｏｏｔｈ（登録商標）、近距離無線通信（ＮＦＣ）等）のような無線通信プロトコルに従って通信を行うように構成される無線送受信機であってよい。このような実施形態において、ネットワーク側インタフェース１４０２は、１つ又は複数のアンテナ／放射要素を含む。他の実施形態において、送受信機１４００は、有線媒体、例えば、ツイストペアケーブル、同軸ケーブル、光ファイバ等を介して、シグナリングを送信及び受信する。具体的な処理システム及び／又は送受信機は、示されたコンポーネントの全て、又は、コンポーネントのサブセットのみを用いてよく、統合レベルは、デバイスによって異なってよい。
【００５５】
本明細書において提供される実施形態に係る方法の１つ又は複数の段階は、対応するユニット又はモジュールによって実行されてよいことを理解されたい。例えば、信号は、送信ユニット又は送信モジュールによって送信されてよい。信号は、受信ユニット又は受信モジュールによって受信されてよい。信号は、処理ユニット又は処理モジュールによって処理されてよい。他の段階は、ユニット／モジュールを確立すること及び／又は選択することによって実行されてよい。それぞれのユニット／モジュールは、ハードウェア、ソフトウェア、又はこれらの組み合わせであってよい。例えば、ユニット／モジュールの１つ又は複数は、フィールドプログラマブルゲートアレイ（ＦＰＧＡ）又は特定用途向け集積回路（ＡＳＩＣ）のような集積回路であってよい。
【００５６】
本発明は、例示的実施形態を参照して説明されてきたが、この説明は、限定的な意味で解釈されるように意図されていない。この説明を参照すれば、当業者には、例示的実施形態の様々な変形形態及び組み合わせ、並びに、本発明の他の実施形態が明らかであるろう。従って、添付の特許請求の範囲は、あらゆるこのような変形又は実施形態を包含することを意図するものである。
【図１】
2019500768.tif 000004
【図２】
2019500768.tif 000005
【図３】
2019500768.tif 000006
【図４】
2019500768.tif 000007
【図５】
2019500768.tif 000008
【図６】
2019500768.tif 000009
【図７】
2019500768.tif 000010
【図８】
2019500768.tif 000011
【図９】
2019500768.tif 000012
【図１０】
2019500768.tif 000013
【図１１】
2019500768.tif 000014
【図１２】
2019500768.tif 000015
【図１３】
2019500768.tif 000016
【図１４】
2019500768.tif 000017
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
エアインタフェースを構成するための方法であって、
無線デバイスが、ネットワークデバイスからインデックス及び変更命令を受信する段階であって、前記インデックスは、複数の予め定義されたエアインタフェース構成のうちの第１のものと関連付けられ、前記変更命令は、変更されたエアインタフェース構成を生成するべく、前記第１の予め定義されたエアインタフェース構成の１つ又は複数のパラメータの変更を指示する段階と、
前記インデックス及び前記変更命令に基づいて、前記変更されたエアインタフェース構成に従ってデータを送信又は受信する段階と
を含む
方法。
【請求項２】
前記変更されたエアインタフェース構成に従ってデータを送信又は受信する段階は、前記第１の予め定義されたエアインタフェース構成に従ってデータを最初に送信又は受信することなく、前記変更されたエアインタフェース構成に従ってデータを送信又は受信する段階を含む、請求項１に記載の方法。
【請求項３】
前記複数の予め定義されたエアインタフェース構成の各々は、予め定義されたサブキャリアスペーシングを含む、請求項１又は２に記載の方法。
【請求項４】
１つ又は複数のパラメータの前記変更は、前記予め定義されたサブキャリアスペーシングの変更を含む、請求項３に記載の方法。
【請求項５】
前記変更命令は、前記第１の予め定義されたエアインタフェース構成において、前記第１の予め定義されたエアインタフェース構成に、又は前記第１の予め定義されたエアインタフェース構成から、ハイブリッド自動再送要求（ＨＡＲＱ）再送信スキームを変更、追加、又は削除するように、前記無線デバイスに命令する、請求項１から４の何れか一項に記載の方法。
【請求項６】
前記変更命令は、前記無線デバイスに、前記第１の予め定義されたエアインタフェース構成の波形を変更するように命令する、請求項１から５の何れか一項に記載の方法。
【請求項７】
前記変更命令は、前記無線デバイスに、前記第１の予め定義されたエアインタフェース構成の物理層パラメータを変更するように命令する、請求項１から６の何れか一項に記載の方法。
【請求項８】
前記変更命令は、前記無線デバイスに、前記第１の予め定義されたエアインタフェース構成のサブキャリアスペーシング、サイクリックプリフィクス（ＣＰ）長さ、シンボル持続時間、又は送信時間間隔（ＴＴＩ）長さを変更するように命令する、請求項７に記載の方法。
【請求項９】
プロセッサと、
前記プロセッサによる実行のためのプログラミングを格納する非一時的コンピュータ可読記憶媒体であって、前記プログラミングは、
ネットワークデバイスからインデックス及び変更命令を受信する命令であって、前記インデックスは、複数の予め定義されたエアインタフェース構成のうちの第１のものと関連付けられ、前記変更命令は、変更されたエアインタフェース構成を生成するべく、前記第１の予め定義されたエアインタフェース構成の１つ又は複数のパラメータの変更を指示する命令と、
前記第１の予め定義されたエアインタフェース構成を最初に確立することなく、前記インデックス及び前記変更命令に基づいて、前記変更されたエアインタフェース構成を確立する命令と
を含む、非一時的コンピュータ可読記憶媒体と
を含む
無線デバイス。
【請求項１０】
前記変更命令は、前記第１の予め定義されたエアインタフェース構成において、前記第１の予め定義されたエアインタフェース構成に、又は前記第１の予め定義されたエアインタフェース構成から、ハイブリッド自動再送要求（ＨＡＲＱ）再送信スキームを変更、追加、又は削除するように、前記無線デバイスに命令する、請求項９に記載の無線デバイス。
【請求項１１】
前記変更命令は、前記無線デバイスに、前記第１の予め定義されたエアインタフェース構成の波形を変更するように命令する、請求項９又は１０に記載の無線デバイス。
【請求項１２】
前記変更命令は、前記無線デバイスに、前記第１の予め定義されたエアインタフェース構成の物理層パラメータを変更するように命令する、請求項９から１１の何れか一項に記載の無線デバイス。
【請求項１３】
前記変更命令は、前記無線デバイスに、前記第１の予め定義されたエアインタフェース構成のサブキャリアスペーシング、サイクリックプリフィクス（ＣＰ）長さ、シンボル持続時間、又は送信時間間隔（ＴＴＩ）長さを変更するように命令する、請求項１２に記載の無線デバイス。
【請求項１４】
エアインタフェースを確立するための方法であって、
無線デバイスが、ネットワークデバイスから複数の予め定義されたエアインタフェース構成のインデックスを受信する段階と、
前記複数の予め定義されたエアインタフェース構成のうちの１つを選択する段階であって、前記選択された予め定義されたエアインタフェース構成は、前記インデックスのうちの特定のものと関連付けられる、段階と、
前記ネットワークデバイスに前記特定のインデックスを送信する段階と
を含む
方法。
【請求項１５】
前記無線デバイスから受信された前記特定のインデックスに基づいて、基地局と前記無線デバイスとの間の前記選択されたエアインタフェース構成を確立する段階
を更に含む、請求項１４に記載の方法。
【請求項１６】
前記無線デバイスが、前記ネットワークデバイスに変更要求を送信する段階であって、前記変更要求は、変更されたエアインタフェース構成を生成するべく、前記選択されたエアインタフェース構成の１つ又は複数のパラメータが変更されることを要求する段階と、
基地局と前記無線デバイスとの間に確立されている前記選択されたエアインタフェース構成を最初に確立することなく、前記基地局と前記無線デバイスとの間の前記変更されたエアインタフェース構成を確立する段階と
を更に含む、請求項１４に記載の方法。
【請求項１７】
前記変更要求は、ハイブリッド自動再送要求（ＨＡＲＱ）再送信スキームが、前記選択されたエアインタフェース構成において変更され、前記選択されたエアインタフェース構成に追加され、又は前記選択されたエアインタフェース構成から削除されることを要求する、請求項１６に記載の方法。
【請求項１８】
前記変更要求は、前記選択されたエアインタフェース構成の波形の変更を要求する、請求項１６に記載の方法。
【請求項１９】
前記変更要求は、前記選択されたエアインタフェース構成のサブキャリアスペーシング、サイクリックプリフィクス（ＣＰ）長さ、シンボル持続時間、又は送信時間間隔（ＴＴＩ）長さの変更を要求する、請求項１６に記載の方法。
【請求項２０】
プロセッサと、
前記プロセッサによる実行のためのプログラミングを格納する非一時的コンピュータ可読記憶媒体であって、前記プログラミングは、
ネットワークデバイスから複数の予め定義されたエアインタフェース構成のインデックスを受信する命令と、
前記複数の予め定義されたエアインタフェース構成のうちの１つを選択する命令であって、前記選択された予め定義されたエアインタフェース構成は、前記インデックスのうちの特定のものと関連付けられる、選択する命令と、
前記ネットワークデバイスに前記特定のインデックスを送信する命令と
を含む、非一時的コンピュータ可読記憶媒体と
を含む
無線デバイス。
【請求項２１】
前記プログラミングは、
前記無線デバイスから受信された前記特定のインデックスに基づいて、基地局と前記無線デバイスとの間の前記選択されたエアインタフェース構成を確立する命令
を更に含む、請求項２０に記載の無線デバイス。
【請求項２２】
前記プログラミングは、
前記ネットワークデバイスに変更要求を送信する命令であって、前記変更要求は、変更されたエアインタフェース構成を生成するべく、前記選択されたエアインタフェース構成の１つ又は複数のパラメータが変更されることを要求する、送信する命令と、
基地局と前記無線デバイスとの間に確立されている前記選択されたエアインタフェース構成を最初に確立することなく、前記基地局と前記無線デバイスとの間の前記変更されたエアインタフェース構成を確立する命令と
を更に含む、請求項２０に記載の無線デバイス。
【請求項２３】
前記変更要求は、ハイブリッド自動再送要求（ＨＡＲＱ）再送信スキームが、前記選択されたエアインタフェース構成において変更され、前記選択されたエアインタフェース構成に追加され、又は前記選択されたエアインタフェース構成から削除されることを要求する、請求項２２に記載の無線デバイス。
【請求項２４】
エアインタフェース構成中のオーバヘッドを低減するための方法であって、
ネットワークデバイスが、無線デバイスにインデックス及び変更命令を送信する段階であって、前記インデックスは、複数の予め定義されたエアインタフェース構成のうちの第１のものと関連付けられ、前記変更命令は、前記第１の予め定義されたエアインタフェース構成の１つ又は複数のパラメータの変更を指示し、変更されたエアインタフェース構成を生成し、前記インデックス及び前記変更命令は、前記無線デバイスに、前記第１の予め定義されたエアインタフェース構成を最初に確立することなく、前記変更されたエアインタフェース構成を確立するように命令する、段階
を含む
方法。
【請求項２５】
前記変更命令は、前記第１の予め定義されたエアインタフェース構成のハイブリッド自動再送要求（ＨＡＲＱ）再送信スキームを変更、追加、又は削除するように、前記無線デバイスに命令する、請求項２４に記載の方法。
【請求項２６】
前記変更命令は、前記無線デバイスに、前記第１の予め定義されたエアインタフェース構成の波形を変更するように命令する、請求項２４に記載の方法。
【請求項２７】
前記変更命令は、前記無線デバイスに、前記第１の予め定義されたエアインタフェース構成の物理層パラメータを変更するように命令する、請求項２４に記載の方法。
【請求項２８】
前記変更命令は、前記無線デバイスに、前記第１の予め定義されたエアインタフェース構成のサブキャリアスペーシング、サイクリックプリフィクス（ＣＰ）長さ、シンボル持続時間、又は送信時間間隔（ＴＴＩ）長さを変更するように命令する、請求項２７に記載の方法。
【請求項２９】
プロセッサと、
前記プロセッサによる実行のためのプログラミングを格納する非一時的コンピュータ可読記憶媒体であって、前記プログラミングは、
無線デバイスにインデックス及び変更命令を送信する命令であって、前記インデックスは、複数の予め定義されたエアインタフェース構成のうちの第１のものと関連付けられ、前記変更命令は、変更されたエアインタフェース構成を生成するべく、前記第１の予め定義されたエアインタフェース構成の１つ又は複数のパラメータの変更を指示し、前記インデックス及び前記変更命令は、前記無線デバイスに、前記第１の予め定義されたエアインタフェース構成を最初に確立することなく、前記変更されたエアインタフェース構成を確立するように命令する、送信する命令
を含む、非一時的コンピュータ可読記憶媒体と
を含む
ネットワークデバイス。
【請求項３０】
エアインタフェース構成中のオーバヘッドを低減するための方法であって、
ネットワークデバイスが、無線デバイスに複数の予め定義されたエアインタフェース構成のインデックスを送信する段階と、
前記ネットワークデバイスが、前記無線デバイスから特定のインデックスを受信する段階であって、前記特定のインデックスは、前記無線デバイスに送信された前記インデックスのうちの１つであり、前記特定のインデックスは、前記無線デバイスにより選択された前記複数の予め定義されたエアインタフェース構成のうちの１つを識別する、段階と
を含む、
方法。
【請求項３１】
前記無線デバイスから受信された前記特定のインデックスに基づいて、基地局と前記無線デバイスとの間の前記選択されたエアインタフェース構成を確立する、又はその前記確立を促す段階
を更に含む、請求項３０に記載の方法。
【請求項３２】
前記無線デバイスから変更指示を受信する段階であって、前記変更指示は、前記選択されたエアインタフェース構成の１つ又は複数のパラメータが変更されることを要求し、変更されたエアインタフェース構成を生成する、段階と、
前記選択されたエアインタフェース構成が、基地局と前記無線デバイスとの間に確立されることなく、前記基地局と前記無線デバイスとの間の前記変更されたエアインタフェース構成を確立する、又はその前記確立を促す段階と
を更に含む、請求項３０に記載の方法。
【請求項３３】
前記変更指示は、ハイブリッド自動再送要求（ＨＡＲＱ）再送信スキームが、前記選択されたエアインタフェース構成において変更され、前記選択されたエアインタフェース構成に追加され、又は前記選択されたエアインタフェース構成から削除されることを要求する、請求項３２に記載の方法。
【請求項３４】
前記変更指示は、前記選択されたエアインタフェース構成の波形の変更を要求する、請求項３２に記載の方法。
【請求項３５】
前記変更指示は、前記選択されたエアインタフェース構成のサブキャリアスペーシング、サイクリックプリフィクス（ＣＰ）長さ、シンボル持続時間、又は送信時間間隔（ＴＴＩ）長さの変更を要求する、請求項３２に記載の方法。
【請求項３６】
プロセッサと、
前記プロセッサによる実行のためのプログラミングを格納する非一時的コンピュータ可読記憶媒体であって、前記プログラミングは、
無線デバイスに複数の予め定義されたエアインタフェース構成のインデックスを送信する命令と、
前記無線デバイスから特定のインデックスを受信する命令であって、前記特定のインデックスは、前記無線デバイスに送信された前記インデックスのうちの１つであり、前記特定のインデックスは、前記無線デバイスにより選択された前記複数の予め定義されたエアインタフェース構成のうちの１つを識別する、受信する命令と
を含む、非一時的コンピュータ可読記憶媒体と
を含む
ネットワークデバイス。
【手続補正２】
【補正対象書類名】明細書
【補正対象項目名】００３８
【補正方法】変更
【補正の内容】
【００３８】
図４は、無線デバイスによって実行され得る場合の、エアインタフェース構成を動的に確立するための、実施形態に係る方法４００のフローチャートである。段階４１０において、無線デバイスは、ネットワークデバイスからインデックス及び変更命令を受信する。段階４２０において、無線デバイスは、インデックス及び変更命令に基づいて、変更されたエアインタフェース構成を基地局と確立する。インデックス及び変更命令を伝送するネットワークデバイスは、基地局又は別のネットワークデバイス（例えば、中央コントローラ）であり得る。変更されたエアインタフェース構成は、無線デバイスと基地局との間に予め定義されたエアインタフェース構成を最初に確立することなく、無線デバイスと基地局との間に確立される。
【手続補正３】
【補正対象書類名】明細書
【補正対象項目名】００４５
【補正方法】変更
【補正の内容】
【００４５】
図１０は、無線デバイスによって実行され得る場合の、エアインタフェース構成を動的に確立するための、実施形態に係る方法１０００のフローチャートである。段階１０１０において、無線デバイスは、ネットワークデバイスから複数の候補エアインタフェース構成を指示する制御メッセージを受信する。段階１０２０において、無線デバイスは、エアインタフェース構成のうちの１つを選択する。段階１０３０において、無線デバイスは、選択されたエアインタフェース構成の１つ又は複数のパラメータに関する変更を決定する。段階１０４０において、無線デバイスは、ネットワークデバイスに、選択されたエアインタフェースと関連付けられたインデックス、及び変更されたパラメータを識別する変更命令を送信する。段階１０５０において、無線デバイスは、変更されたエアインタフェース構成を基地局と確立する。
【手続補正４】
【補正対象書類名】明細書
【補正対象項目名】００４９
【補正方法】変更
【補正の内容】
【００４９】
いくつかの実施形態において、異なるＵＥ及び／又はＵＥ  グループに関する複数の変更命令が、単一の制御メッセージ内に含まれ得、これは、ＵＥ及び／又はＵＥ  グループにマルチキャスト又はブロードキャストされ得る。図１２は、予め定義されたエアインタフェース構成を変更するシグナリングを含む実施形態に係る制御メッセージ１２００の図である。この例において、制御メッセージ１２００は、ＵＥ（ＵＥ４）に、予め定義されたエアインタフェース構成のＴＴＩパラメータを変更するように命令する変更命令１２０４を含む。制御メッセージ１２００は、ＵＥ  グループ（ＵＥｇｒｏｕｐ（５））に、予め定義されたエアインタフェース構成のプロトコル構成を変更するように命令する変更命令１２０５を更に含む。いくつかの実施形態において、制御メッセージ１２００は、変更されているエアインタフェース構成を識別するインデックスを含む。他の実施形態においては、エアインタフェース構成は、ＵＥ４及びＵＥＧｒｏｕｐ（５）への事前情報である一般的な構成であり、この場合、インデックスは、制御メッセージ１２００から除外され得る。
【国際調査報告】
2019500768.tif 000018
2019500768.tif 000019